【手続補正書】
【提出日】平成28年11月18日(2016.11.18)
【手続補正１】
【補正対象書類名】明細書
【補正対象項目名】０００１
【補正方法】変更
【補正の内容】
【０００１】
異なるフォームから構成されるマルチフォームの電子帳票の検索において、フォームが異なる帳票においても容易に検索条件を設定可能な電子帳票システム、帳票検索サーバ装置、その制御方法、およびプログラムに関する。
【手続補正２】
【補正対象書類名】明細書
【補正対象項目名】００１３
【補正方法】変更
【補正の内容】
【００１３】
そこで本発明は、異なるフォームから構成されるマルチフォームの電子帳票の検索において、フォームが異なる帳票においても容易に検索条件を設定可能な仕組みを提供することを目的とする。
【手続補正３】
【補正対象書類名】明細書
【補正対象項目名】００１５
【補正方法】変更
【補正の内容】
【００１５】
本発明によれば、異なるフォームから構成されるマルチフォームの電子帳票の検索において、フォームが異なる帳票においても容易に検索条件を設定可能な仕組みを提供することが可能となる。
【手続補正４】
【補正対象書類名】特許請求の範囲
【補正対象項目名】全文
【補正方法】変更
【補正の内容】
【特許請求の範囲】
【請求項１】
情報処理装置と、前記情報処理装置からの要求により１つのフォームから構成される帳票または複数の異なるフォームから構成されるマルチフォーム帳票に対して検索を実行することが可能な帳票検索サーバとが通信可能に接続された電子帳票システムであって、
検索を行う電子帳票のフォームの指定および検索条件を受け付ける検索条件受付手段と、
前記検索条件受付手段で、受け付けた前記検索条件に対応した検索を行う検索手段と、
前記検索手段で、検索を行うフォームがマルチフォーム帳票であることを条件に、前記指定を受け付けたフォームとは異なるフォームに対する検索条件の設定を受け付ける設定画面を表示するよう制御する表示制御手段と
を備えることを特徴とする電子帳票システム。
【請求項２】
情報処理装置と通信可能に接続され、前記情報処理装置からの要求により１つのフォームから構成される帳票または複数の異なるフォームから構成されるマルチフォーム帳票に対して検索を実行することが可能な帳票検索サーバ装置であって、
検索を行う電子帳票のフォームの指定および検索条件を受け付ける検索条件受付手段と、
前記検索条件受付手段で、受け付けた前記検索条件に対応した検索を行う検索手段と、
前記検索手段で、検索を行うフォームがマルチフォーム帳票であることを条件に、前記指定を受け付けたフォームとは異なるフォームに対する検索条件の設定を受け付け可能な設定画面を表示するよう制御する表示制御手段と
を備えることを特徴とする帳票検索サーバ装置。
【請求項３】
前記帳票検索サーバ装置は、
前記検索条件受付手段で受け付けた検索条件を第１の検索条件、前記設定画面で設定を受け付けた検索条件を第２の検索条件として検索条件を受け付け、
前記検索手段は、検索を行うフォームがマルチフォーム帳票であることを条件に、前記検索条件受付手段で前記指定を受け付けたフォームに対して第１の検索条件を適用し、前記指定を受け付けたフォームとは異なるフォームに対しては前記第２の検索条件を適用して前記マルチフォーム帳票の検索を行うことを特徴とする請求項２に記載の帳票検索サーバ装置。
【請求項４】
前記検索条件は、前記帳票の検索領域を含むことを特徴とする請求項２または３に記載の帳票検索サーバ装置。
【請求項５】
前記表示制御手段は、前記マルチフォーム帳票のうち、前記検索条件受付手段で前記指定を受け付けたフォームとは異なるフォームの帳票画面を前記設定画面に表示するよう制御することを特徴とする請求項２乃至４のいずれか１項に記載の帳票検索サーバ装置。
【請求項６】
前記表示制御手段は、前記検索条件に含まれる検索領域を変更可能な設定画面を表示するよう制御することを特徴とする請求項２乃至５のいずれか１項に記載の帳票検索サーバ装置。
【請求項７】
前記帳票検索サーバ装置は、
前記検索条件に基づく検索結果を受信する検索結果受信手段と、
前記検索結果受信手段により受信した検査結果が複数ある場合には受信した検索結果をマージする検索結果マージ手段と
をさらに備えることを特徴とする請求項２に記載の電子帳票システム。
【請求項８】
情報処理装置と、前記情報処理装置からの要求により１つのフォームから構成される帳票または複数の異なるフォームから構成されるマルチフォーム帳票に対して検索を実行することが可能な帳票検索サーバとが通信可能に接続された電子帳票システムの制御方法であって、
前記電子帳票システムの検索条件受付手段が、検索を行う電子帳票のフォームの指定および検索条件の設定を受け付ける検索条件受付ステップと、
前記電子帳票システムの検索手段が、前記検索条件受付ステップで、受け付けた前記検索条件に対応した検索を行う検索ステップと、
前記電子帳票システムの表示制御手段が、前記検索ステップで検索を行うフォームがマルチフォーム帳票であることを条件に、前記指定を受け付けたフォームとは異なるフォームに対する検索条件の設定を受け付ける設定画面を表示するよう制御する表示制御ステップと
を備えることを特徴とする電子帳票システムの制御方法。
【請求項９】
情報処理装置と、前記情報処理装置からの要求により１つのフォームから構成される帳票または複数の異なるフォームから構成されるマルチフォーム帳票に対して検索を実行することが可能な帳票検索サーバとが通信可能に接続された電子帳票システムとして機能させるプログラムであって、
前記電子帳票システムを、
検索を行う電子帳票のフォームの指定および検索条件を受け付ける検索条件受付手段と、
前記検索条件受付手段で、受け付けた前記検索条件に対応した検索を行う検索手段と、
前記検索手段で、検索を行うフォームがマルチフォーム帳票であることを条件に、前記指定を受け付けたフォームとは異なるフォームに対する検索条件の設定を受け付ける設定画面を表示するよう制御する表示制御手段
として機能させることを特徴とする電子帳票システムのプログラム。
【請求項１０】
情報処理装置と通信可能に接続され、前記情報処理装置からの要求により１つのフォームから構成される帳票または複数の異なるフォームから構成されるマルチフォーム帳票に対して検索を実行することが可能な帳票検索サーバ装置の制御方法であって、
前記帳票検索サーバ装置の検索条件受付手段が、検索を行う電子帳票のフォームの指定および検索条件を受け付ける検索条件受付ステップと、
前記帳票検索サーバ装置の検索手段が、前記検索条件受付ステップで、受け付けた前記検索条件に対応した検索を行う検索ステップと、
前記帳票検索サーバ装置の表示制御手段が、前記検索ステップで検索を行うフォームがマルチフォーム帳票であることを条件に、前記指定を受け付けたフォームとは異なるフォームに対する検索条件の設定を受け付け可能な設定画面を表示するよう制御する表示制御ステップと
を備えることを特徴とする帳票検索サーバ装置の制御方法。
【請求項１１】
情報処理装置と通信可能に接続され、前記情報処理装置からの要求により１つのフォームから構成される帳票または複数の異なるフォームから構成されるマルチフォーム帳票に対して検索を実行することが可能な帳票検索サーバ装置として機能させるプログラムであって、
前記帳票検索サーバ装置を、
検索を行う電子帳票のフォームの指定および検索条件を受け付ける検索条件受付手段と、
前記検索条件受付手段で、受け付けた前記検索条件に対応した検索を行う検索手段と、
前記検索手段で、検索を行うフォームがマルチフォーム帳票であることを条件に、前記指定を受け付けたフォームとは異なるフォームに対する検索条件の設定を受け付け可能な設定画面を表示するよう制御する表示制御手段
として機能させることを特徴とする帳票検索サーバ装置のプログラム。